(57)【要約】【課題】手持型穿孔工具に装着することで孔開け作業の際にデラミネーションが発生するのを防止することができる穿孔用補助具を提供する。【解決手段】穿孔用補助具１０に、アングル型ハンドドリル１に固定可能な工具固定部１０と、工具固定部１０に摺動可能に支持されアングル型ハンドドリル１に取付けられたドリルＴの回転軸と略平行に延びる二つのガイドロッド１４と、ガイドロッド１４の先端に固定される当接プレート１６と、当接プレート１６の先端面側に備えられる滑止め部材１８と、ガイドロッド１４に備えられ工具固定部１２との間でガイドロッド１４が急激に摺動するのを抑制するダンパ２０とを具備させる。【選択図】図１
2008149432.tif 000002
【特許請求の範囲】
【請求項１】
手持型穿孔工具に対して着脱自在に固定可能な工具固定部と、
該工具固定部に摺動可能に支持され、手持型穿孔工具における切削工具の回転軸と略平行に延びる少なくとも一つのガイドロッドと、
該ガイドロッドの先端に固定される当接プレートと、
該当接プレートの先端面側に備えられる滑止め部材と、
少なくとも一つの前記ガイドロッドに備えられ、前記工具固定部との間で前記ガイドロッドが急激に摺動するのを抑制するダンパと
を具備することを特徴とする穿孔用補助具。
【請求項２】
前記工具固定部は、
手持型穿孔工具における切削工具の回転軸周りの所定位置に、前記ガイドロッドを支持できることを特徴とする請求項１に記載の穿孔用補助具。
【請求項３】
前記当接プレートは、
手持型穿孔工具における切削工具が通過可能な貫通部を有していることを特徴とする請求項１又は請求項２に記載の穿孔用補助具。
【発明の詳細な説明】
【技術分野】
【０００１】
本発明は、孔開け作業等の際に手持型穿孔工具に装着して使用する穿孔用補助具に関するものである。
【背景技術】
【０００２】
従来より、航空機や鉄道、自動車等の交通輸送の分野に限らず、種々の分野において、ガラス繊維や炭素繊維等を用いた繊維強化樹脂が適宜箇所に使用されている。そして、特に炭素繊維強化樹脂からなるワークに対して組立用等の孔を、ハンドドリル等の手持型穿孔工具を用いて穿孔する場合、切削工具としてのドリルに対して作業者が所定の荷重をかけながら作業を行うこととなるが、ドリルがワークを貫通する瞬間、荷重に対するワークからの反力が小さくなるので、ドリルの送り速度が極端に速くなり、孔の抜け側でデラミネーション（層間剥離）が発生して不具合となる問題があった。
【０００３】
そこで、孔の抜け側に対して当て板等を使用することで、デラミネーションを防止していた。或いは、手持型穿孔工具に替えて、数値制御可能な据置型のＮＣ工作機械を用いることで、ドリルの送り速度を制御しながら孔を穿孔してデラミネーションを防止するようにしていた。
【０００４】
ところで、手持型穿孔工具では、作業者が手で持って作業するため、穿孔する孔位置や孔の角度がズレる問題があり、そのため、特許文献１及び特許文献２に示すような、手持型穿孔工具に固定する工具固定部と、工具固定部から延びる複数のガイドロッドと、ガイドロッドの先端を連結する当接プレートと、工具固定部と当接プレートとが互いに離反する方向へ付勢するバネとを備えた穿孔用補助具を手持型穿孔工具に装着することで、孔位置や孔の角度がズレるのを防止するようにしたものが提案されている。
【０００５】
【特許文献１】実開昭５８−１８１４０９号公報
【特許文献２】実開昭６０−１８３１０７号公報
【発明の開示】
【発明が解決しようとする課題】
【０００６】
しかしながら、ワークの形状や、孔を穿孔する位置によっては、ＮＣ工作機械を用いて穿孔することができないので、手持型穿孔工具を用いなければならず、作業者の練習や熟練でドリルの送りを制御するのは不可能であり、デラミネーションの発生を防止することができなかった。
【０００７】
また、特許文献１及び特許文献２に示された従来の穿孔用補助具を用いた場合、手持型穿孔工具が固定される工具固定部が、バネによって当接プレートと離反する方向に付勢されているが、バネではドリルの送り速度を調整することができず、デラミネーションを防止することができなかった。また、孔を穿孔するためには、バネの付勢力に抗してドリルへ荷重をかける必要があり、より大きい荷重を手持型穿孔工具にかけなければならず、ドリルがワークを貫通する際にワークからの反力が小さくなると、いっきにドリルの送り速度が速くなって、かえってデラミネーションを発生させてしまったり、ドリルを保持する手持型穿孔工具のチャックがワークの表面に当って傷が付いたりしてしまう問題がある。
【０００８】
そこで、本願発明は上記の実状に鑑み、手持型穿孔工具に装着することで孔開け作業の際にデラミネーションが発生するのを防止することができる穿孔用補助具の提供を課題とするものである。
【課題を解決するための手段】
【０００９】
本発明に係る穿孔用補助具は、「手持型穿孔工具に対して着脱自在に固定可能な工具固定部と、該工具固定部に摺動可能に支持され、手持型穿孔工具における切削工具の回転軸と略平行に延びる少なくとも一つのガイドロッドと、該ガイドロッドの先端に固定される当接プレートと、該当接プレートの先端面側に備えられる滑止め部材と、少なくとも一つの前記ガイドロッドに備えられ、前記工具固定部との間で前記ガイドロッドが急激に摺動するのを抑制するダンパとを具備する」ことを特徴とする。
【００１０】
ここで、「手持型穿孔工具」としては、ドリル等の切削工具を保持するチャックと、チャックを回転駆動させる駆動部と、駆動部を保持すると共に作業者が把持可能な把持部を有した本体部とを少なくとも備えたものであり、その駆動部として、圧縮空気等の加圧流体を用いた流体アクチュエータや、電動モータ等を用いることができる。また、手持型穿孔工具としては、駆動部と切削工具の回転軸の方向が略同じ方向のストレート型であっても良いし、駆動部と切削工具の回転軸の方向が略直交するアングル型であっても良い。
【００１１】
また、「当接プレート」としては、「矩形状で切削工具が通過可能な貫通部を有したもの」、「Ｌ字形状のもの」、「円環形状のもの」、「枠形状のもの」、等を例示することができる。また、「滑止め部材」としては、「ゴム」、「シリコン」、「発泡樹脂」、等を用いることができる。
【００１２】
更に、「ダンパ」としては、「油圧ダンパ」、「エアダンパ」、等を例示することができる。また、ダンパに用いられる流体の抵抗を変化させることで、ガイドロッドと工具固定部との相対移動速度を調整可能な速度調整機構を備えたものを用いることが望ましい。
【００１３】
本発明によると、穿孔用補助具に、手持型穿孔工具に固定可能な工具固定部と、工具固定部に摺動可能に支持され、ドリル等の切削工具の回転軸と略平行に延びる少なくとも一つのガイドロッドと、ガイドロッドの先端に固定される当接プレートと、当接プレートの先端面側に備えられる滑止め部材と、少なくとも一つのガイドロッドに工具固定部との間で急激に摺動するのを抑制するダンパとを備えたものである。
【００１４】
これにより、穿孔用補助具の工具固定部を、当接プレートが手持型穿孔工具に取付けられたドリル等の切削工具よりも前方に来るように手持型穿孔工具の所定位置に固定した状態で、ワークの表面に滑止め部材を介して当接プレートを当接させると共に切削工具をワークの穿孔する位置に位置決めし、切削工具を所定速度で回転させた上で手持型穿孔工具をワークの方向へ押圧して切削工具をワークの方向へ移動させ、切削工具がワークと接触することでワークの所定位置に孔が穿孔されることとなる。その際に、工具固定部に摺動可能に支持されたガイドロッドによって切削工具が回転軸に沿って真直ぐに移動すると共に、ダンパによって切削工具が略一定速度で移動し、切削工具がワークを貫通する際にワークからの反力が小さくなっても、ダンパによって切削工具の移動速度が急激に変化するのを抑制することができるので、孔開け作業の際にデラミネーションが発生するのを防止することができる。
【００１５】
また、手持型穿孔工具に穿孔用補助具を装着することで、作業者による手作業でもデラミネーションの無い良好な孔を簡単に穿孔することができるので、ＮＣ工作機械等では加工することができない箇所でも良好な孔を穿孔することができ、より複雑な形状のワークに対しても容易に対応することができる。
【００１６】
更に、穿孔用補助具を手持型穿孔工具に装着するだけで、デラミネーションの無い良好な孔を簡単に穿孔することができるので、熟練度の高くない作業者でも容易に良好な孔を穿孔することができ、孔開け作業にかかるコストを低減させることができる。
【００１７】
また、ワークに孔を穿孔する際に、手持型穿孔工具に取付けられたドリル等の切削工具の回転数を、所定の回転数になってからワークと接触させて穿孔することができるので、ワークの表側においてもデラミネーションが発生するのを防止することができる。
【００１８】
更に、ガイドロッドによって手持型穿孔工具の切削工具を、その回転軸の方向に沿うように移動させることができるので、切削工具を回転軸方向に確実に真直ぐ送ることができ、穿孔する孔の角度がズレたり、切削工具がブレて孔の径が広がったりするのを防止することができる。
【００１９】
また、当接プレートの当接面に滑止め部材を備えているので、ワークの表面に対して当接プレートが滑るのを防止することができ、孔開け作業中に当接プレートが滑って、穿孔する孔の位置がズレるのを防止することができ、決められた位置に確実に孔を穿孔することができる。
【００２０】
なお、工具固定部にガイドロッドを摺動可能に支持する構造としては、工具固定部にガイドロッドを挿通可能なガイド孔を形成し直接支持するようにしても良いし、ガイド孔が形成された摺動ブロックや、ガイドロッドを摺動可能に保持するダンパ等を介して間接的に支持するようにしても良い。
【００２１】
また、ガイドロッドの数は、一つでも良いし、複数あっても良く、ガイドロッドを一つとした場合は、穿孔用補助具を構成する部品点数を可及的に少なくすることができるのでコストを低減させることができる。また、ガイドロッドを複数とした場合は、当接プレートを介して複数箇所で工具固定部をワークに対して支持することができるので、ワークに対して工具固定部が揺れるのを防止することができる。
【００２２】
本発明に係る穿孔用補助具は、上記の構成に加えて、「前記工具固定部は、手持型穿孔工具における切削工具の回転軸周りの所定位置に、前記ガイドロッドを支持できる」ことを特徴とする。
【００２３】
ここで、「回転軸周りの所定位置」とは、切削工具の回転軸周りに対して、所定角度（例えば、４５゜，６０゜，９０゜等）毎にガイドロッドを支持するための支持部を複数形成し、その支持部の何れかにガイドロッドを支持させるようにしたものである。
【００２４】
本発明によると、工具固定部に、手持型穿孔工具に取付けられた切削工具の回転軸周りに対して所定位置にガイドロッドを支持できるようにしたものである。これにより、工具固定部に対してガイドロッドを支持する位置を適宜変更することができるので、ワークにおける孔を穿孔する位置によっては、ガイドロッドやダンパが邪魔になって所望の位置に孔を穿孔できない場合、ガイドロッドを支持する位置を邪魔にならない位置に変更することで、所望の位置に孔を穿孔することができ、より汎用性を高めることができる。
【００２５】
なお、工具固定部へのガイドロッド等の支持は、ボルトや係止爪等を用いて、取付け取外しを簡単に行えるようにすることが望ましく、これにより、孔開け作業に係る時間を短縮して作業コストが増加するのを防止することができる。
【００２６】
本発明に係る穿孔用補助具は、上記の構成に加えて、「前記当接プレートは、手持型穿孔工具における切削工具が通過可能な貫通部を有している」ことを特徴とする。ここで、「貫通部」としては、「内周面が閉鎖された孔状のもの」、「内周面が外部に開放された切欠き状のもの」、等を例示することができる。
【００２７】
本発明によると、当接プレートに、手持型穿孔工具の切削工具が通過可能な貫通部を形成したものである。これにより、ワークの孔を穿孔する位置を囲むように当接プレートをワークに当接させて穿孔用補助具を安定させることができ、良好な孔を穿孔させることができる。
【発明の効果】
【００２８】
上記のように、本発明によると、手持型穿孔工具に装着することで孔開け作業の際にデラミネーションが発生するのを防止可能な穿孔用補助具を提供することができる。
【発明を実施するための最良の形態】
【００２９】
以下、本発明を実施するための最良の形態である穿孔用補助具について、図１及び図２に基いて詳細に説明する。図１（Ａ）は本発明に係る穿孔用補助具を手持型穿孔工具に装着した状態で示す斜視図であり、（Ｂ）は（Ａ）の穿孔用補助具を示す斜視図である。図２は、図１における穿孔用補助具の工具固定部を示す図であり、（ａ）は正面図、（ｂ）は平面図、（ｃ）は右側面図、（ｄ）は底面図、（ｅ）は背面図である。
【００３０】
図示するように、本実施形態の穿孔用補助具１０は、手持型穿孔工具としてのアングル型ハンドドリル１に対して着脱自在に固定可能な工具固定部１２と、工具固定部１２に摺動可能に支持されアングル型ハンドドリル１に取付けられたドリルＴの回転軸と略平行に延びる二つのガイドロッド１４と、ガイドロッド１４の先端に固定される当接プレート１６と、当接プレート１６の先端面側に備えられるゴム板等からなる滑止め部材１８と、二つのガイドロッド１４に備えられ工具固定部１２との間でガイドロッド１４が急激に摺動するのを抑制するダンパ２０とを備えている。
【００３１】
この穿孔用補助具１０における工具固定部１２は、図２に示すように、上部材２２と下部材２４とからなる上下に分割された構造となっており、上部材２２と下部材２４とが互いに近接する面に、アングル型ハンドドリル１の先端を収容可能な収容凹部２６が夫々形成されている。この収容凹部２６内にアングル型ハンドドリル１の先端を収容した上で、上部材２２と下部材２４とをボルト２８（図１参照）で締結することによって、アングル型ハンドドリル１の先端に工具固定部１２が固定されるようになっている。
【００３２】
この工具固定部１２の両側面には、ダンパ２０を支持する支持ブロック３０を固定するためのネジ孔３２が所定ピッチで複数備えられており、支持ブロック３０を固定するネジ孔３２を適宜選択することで、支持ブロック３０つまりダンパ２０を固定する位置を前後或いは上下に変更できるようになっている。
【００３３】
この支持ブロック３０は、図１に示すように、円弧状の挟持部３４を有しており、この挟持部３４同士が向い合うように二つの支持ブロック３０を配置した上で、それら挟持部３４内にダンパ２０を配置し、その二つの支持ブロック３０に対してボルト３６を貫通させて工具固定部１２のネジ孔３２に螺合させて締結することで、工具固定部１２に支持ブロック３０を固定すると共に、支持ブロック３０の挟持部３４によってダンパ２０が挟持されて、ダンパ２０が工具固定部１２に支持されるようになっている。
【００３４】
なお、本例では、工具固定部１２の両側に支持ブロック３０を介してダンパ２０が支持されていると共に、支持ブロック３０によって、ダンパ２０の軸、つまり、ガイドロッド１４の軸が、アングル型ハンドドリル１に取付けられたドリルＴの回転軸と略平行となるように、ダンパ２０を工具固定部１２に支持するようになっている。
【００３５】
ダンパ２０は、公知の油圧ダンパとされ、円筒状の本体部３８を備えており、この本体部３８の内部には、一方の端部（本例では下端部）からガイドロッド１４が延出するように進退可能に保持されていると共に、他方の端部（本例では上端部）には、速度調整ツマミ４０が備えられている。この速度調節ツマミ４０を回転させることで、進退可能に保持されたガイドロッド１４の移動速度を調整することができる。
【００３６】
当接プレート１６は、図１に示すように、ガイドロッド１４の先端と嵌合する嵌合孔４２と、嵌合孔４２から当接プート１６の側面に向かって延びるスリット４４と、アングル型ハンドドリル１に取付けられたドリルＴが通過可能な貫通孔からなる貫通部４６とを備えている。当接プレート１６の二つの嵌合孔４２は、支持ブロック３０を介して工具固定部１２に支持された二つのダンパ２０から延びるガイドロッド１４のピッチと同じピッチで形成されている。
【００３７】
この当接プレート１６には、スリット４４の両側に、ネジ孔及び通孔４８が同軸上に形成されており、この通孔４８を通してネジ孔にボルト５０を螺合させることで、スリット４４の間隔を狭くすることができ、嵌合孔４２に嵌合されたガイドロッド１４を締付けて、当接プレート１６にガイドロッド１４を固定できるようになっている。
【００３８】
続いて、本実施形態の穿孔用補助具１０の動作について説明する。まず、穿孔用補助具１０の工具固定部１２に、アングル型ハンドドリル１を固定した状態で、図示しないワーク（例えば、航空機等の炭素繊維強化樹脂からなる部品）の表面に滑止め部材１８を介して当接プレート１６を当接させると共にドリルＴをワークの穿孔する位置に位置決めし、ドリルＴを所定速度で回転させた上でアングル型ハンドドリル１をワークの方向へ押圧してドリルＴをワークの方向へ移動させる。
【００３９】
その際に、工具固定部１２にダンパ２０を介して摺動可能に支持されたガイドロッド１４によってドリルＴが回転軸に沿って真直ぐに移動すると共に、ダンパ２０によってドリルＴが略一定速度で移動することとなる。そして、ドリルＴがワークと接触することでワークの所定位置に孔が穿孔され、ドリルＴがワークを貫通する際にワークからの反力が小さくなっても、ダンパ２０によってドリルＴの移動速度が急激に変化するのを抑制され、ワークにデラミネーションが発生するのを防止できるようになっている。
【００４０】
なお、この実施形態の穿孔用補助具１０は、アングル型ハンドドリル１に装着して用いる関係上、穿孔用補助具１０におけるドリルＴの軸方向の長さ（高さ）を可及的に短くなるようにしてあり、ワークにおける幅や高さの狭い部位にでも好適に孔開け作業ができるようになっている。また、速度調整ツマミ４０を操作することで、穿孔する孔の径や、ワークの材質等に応じたドリルＴの送り速度に調整できるようになっている。
【００４１】
次に、図３及び図４に基いて、上記した穿孔用補助具１０とは異なる実施形態の穿孔用補助具６０を詳細に説明する。図３は、図１とは異なる実施形態の穿孔用補助具を手持型穿孔工具に装着した状態で示す斜視図である。図４は、図３の穿孔用補助具を示す図であり、（Ａ）は図３における手持型穿孔工具を外した状態を示す斜視図、（Ｂ）は（Ａ）に対してダンパを反対側に固定した状態を示す斜視図、及び（Ｃ）は工具固定部の両側にダンパを固定した状態を示す斜視図である。なお、図１及び図２に示したものと同じような構成のものについては、同じ符号を付すと共に詳細な説明は省略する。
【００４２】
図３に示すように、この穿孔用補助具６０は、手持型穿孔工具として主にストレート型ハンドドリル２に装着して用いるものであり、上記した穿孔用補助具１０と同様に、ストレート型ハンドドリル２に固定可能な工具固定部６２と、工具固定部６２に摺動可能に支持されストレート型ハンドドリル２に取付けられたドリルＴの回転軸と略平行に延びる二つのガイドロッド１４と、ガイドロッド１４の先端に固定されるＬ字形状の当接プレート６４と、当接プレート６４の先端面側に備えられる滑止め部材１８と、一方のガイドロッド１４に備えられたダンパ２０とを備えている。
【００４３】
この工具固定部６２は、図４に示すように、平面視略矩形状とされ、その中央に形成されたストレート型ハンドドリル２を固定するための固定孔６６と、固定孔６６から一側面へ抜けるスリット６８と、スリット６８が形成された一側面以外の側面に所定ピッチで形成されたネジ孔７０とを備えている。なお、図示は省略するが、スリット６８の両側には、ネジ孔及び通孔が同軸上に形成されており、ネジ孔に通孔を通してボルトを螺合して締結することで、固定孔６６に挿入されたストレート型ハンドドリル２の部位を締付けて、工具固定部６２をストレート型ハンドドリル２に固定できるようになっている。また、固定孔６６の径は、装着固定するストレート型ハンドドリル２の被固定部の径によって適宜選択することができる。
【００４４】
この工具固定部６２の側面には、ネジ孔７０にボルト３６を螺合することで、ダンパ２０を支持する支持ブロック７２や、ガイドロッド１４を摺動可能に支持する摺動ブロック７４を固定できるようになっており、固定孔６６に対してスリット６８が形成された側を作業者側とした場合、図３の状態は、作業者側から向かって右側面（図中左側面）に支持ブロック７２が、作業者側から向かって奥側（図中紙面手前側）に摺動ブロック７４が固定されている。
【００４５】
この支持ブロック７２は、ボルト３６を通す二つの通孔７６と、ダンパ２０を挿通可能な挿通孔７８と、挿通孔７８から一つの通孔７６を横切るように側面に抜けるスリット８０とを備えている。この挿通孔７８にダンパ２０を挿通させた状態で、スリット８０が横切る通孔７６を通してボルト３６をネジ孔７０に締結することで、支持ブロック７２によりダンパ２０を締付けてダンパ２０を固定支持すると共に、支持ブロック７２が工具固定部６２に固定されるようになっている。
【００４６】
また、摺動ブロック７４は、ボルト３６を通す二つの通孔８２と、ガイドロッド１４が摺動可能な径とされたガイド孔８４とを備えている。これら支持ブロック７２と摺動ブロック７４の二つの通孔７６，８２のピッチは、工具固定部６２の各側面に形成された二つのネジ孔７０と同じピッチとされており、支持ブロック７２及び摺動ブロック７４を工具固定部６２のネジ孔７０が形成された何れの側面にも固定できるようになっている。
【００４７】
本例もまた、支持ブロック７２及び摺動ブロック７４によって、ガイドロッド１４を工具固定部６２に装着されたストレート型ハンドドリル２におけるドリルＴの回転軸と略平行に延びるように支持できるようになっている。なお、図４（Ｃ）における符号８６は、ストレート形状の当接プレートである。
【００４８】
この実施形態の穿孔用補助具６０もまた、上記した穿孔用補助具１０と同様の動作をする他に、工具固定部６２が、ガイドロッド１４及びダンパ２０を支持する位置を適宜変更できるようになっており、例えば、作業者側から向かって左側に障害物がある場合は、図３及び図４（Ａ）に示したような状態に支持ブロック７２、摺動ブロック７４、及び当接プレート６４を組立てることで、孔開け作業を行い易くすることができる。また、作業者側から向かって右側に障害物がある場合は、図４（Ｂ）に示すような状態に組立てることで、孔開け作業を行い易くすることができる。更に、作業者側から向かって奥側に障害物がある場合は、図４（Ｃ）に示すように、工具固定部６２の両側面に支持ブロック７２を介してダンパ２０を固定すると共に、ダンパ２０から延びるガイドロッド１４の先端に、ストレート形状の当接プレート８６を取付けた状態とすることで、孔開け作業を行い易くすることができる。
【００４９】
また、図４（Ａ）及び（Ｂ）に示すように、作業者側から向かって奥側は、ダンパ２０を用いずに摺動ブロック７４によってガイドロッド１４を支持するようにしているので、工具固定部６２からの突出量を少なくして、狭い位置でも穿孔できるようになっている。
【００５０】
このように、本実施形態の穿孔用補助具１０，６０によると、工具固定部１２，６２に摺動可能に支持されたガイドロッド１４によってドリルＴが回転軸に沿って真直ぐに移動すると共に、ダンパ２０によってドリルＴを略一定速度で移動させることができるので、ドリルＴがワークを貫通する際にワークからの反力が小さくなっても、ダンパ２０によってドリルＴの移動速度が急激に変化するのを抑制することができ、孔開け作業の際にデラミネーションが発生するのを防止することができる。
【００５１】
また、アングル型ハンドドリル１やストレート型ハンドドリル２等の手持型穿孔工具に穿孔用補助具１０，６０を装着することで、作業者による手作業でもデラミネーションの無い良好な孔を簡単に穿孔することができるので、ＮＣ工作機械等では加工することができない箇所でも良好な孔を穿孔することができ、より複雑な形状のワークに対しても容易に対応することができると共に、デラミネーションの無い良好な孔を簡単に穿孔することができるので、熟練度の高くない作業者でも容易に良好な孔を穿孔することができ、孔開け作業にかかるコストを低減させることができる。
【００５２】
更に、ワークに孔を穿孔する際に、ドリルＴの回転数を、所定の回転数になってからワークと接触させて穿孔することができるので、ワークの表側においてもデラミネーションが発生するのを防止することができる。また、ガイドロッド１４によってドリルＴを、その回転軸の方向に沿うように移動させることができるので、ドリルＴを回転軸方向に確実に真直ぐ送ることができ、穿孔する孔の角度がズレたり、切削工具がブレて孔の径が広がったりするのを防止することができる。
【００５３】
また、当接プレート１６，６４，８６の当接面に滑止め部材１８を備えているので、ワークの表面に対して当接プレート１６，６４，８６が滑るのを防止することができ、孔開け作業中に当接プレート１６，６４，８６が滑って、穿孔する孔の位置がズレるのを防止することができ、決められた位置に確実に孔を穿孔することができる。
【００５４】
更に、工具固定部６２に対してガイドロッド１４を支持する位置を適宜変更することができるので、ワークにおける孔を穿孔する位置によっては、ガイドロッド１４やダンパ２０が邪魔になって所望の位置に孔を穿孔できない場合、ガイドロッド１４等を支持する位置を邪魔にならない位置に変更することで、ワークの所望の位置に孔を穿孔することができ、より汎用性を高めることができる。
【００５５】
また、当接プレート１６，６４，８６に、ドリルＴが通過可能な貫通部４６を形成しているので、ワークの孔を穿孔する位置を囲むように当接プレート１６，６４，８６をワークに当接させて穿孔用補助具１０，６０を安定させることができ、良好な孔を穿孔させることができる。
【００５６】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００５７】
すなわち、本実施形態では、穿孔用補助具１０，６０における各部材を固定するボルトとして、六角穴付ボルトを示したが、これに限定するものでは無く、六角頭ボルト、蝶頭ボルト、鍋頭ボルト、皿頭ボルト等、適宜のボルトを用いることができる。例えば、蝶頭ボルトとした場合は、工具が無くてもボルトを回転させることができ、ガイドロッド１４やダンパ２０の位置の変更を簡単に行うことができる。
【００５８】
また、図１及び図４（Ｃ）に示した穿孔用補助具１０，６０では、二つ（全て）のガイドロッド１４にダンパ２０を備えたものを示したが、これに限定するものではなく、一つのガイドロッド１４のみにダンパ２０を備えた形態としても良く、これにより、穿孔用補助具１０，６０にかかるコストを低減させることができると共に、ドリルＴの送り速度の調整を簡単にできる。
【００５９】
更に、当接プレート１６，６４，８６の貫通部４６として、内周面が閉鎖された貫通孔からなる孔状のものを示したが、これに限定するものではなく、内周面が外部に開放された切欠き状としても良く、これにより、穿孔する孔位置を見易くすることができる。
【図面の簡単な説明】
【００６０】
【図１】（Ａ）は本発明に係る穿孔用補助具を手持型穿孔工具に装着した状態で示す斜視図であり、（Ｂ）は（Ａ）の穿孔用補助具を示す斜視図である。
【図２】図１における穿孔用補助具の工具固定部を示す図であり、（ａ）は正面図、（ｂ）は平面図、（ｃ）は右側面図、（ｄ）は底面図、（ｅ）は背面図である。
【図３】図１とは異なる実施形態の穿孔用補助具を手持型穿孔工具に装着した状態で示す斜視図である。
【図４】図３の穿孔用補助具を示す図であり、（Ａ）は図３における手持型穿孔工具を外した状態を示す斜視図、（Ｂ）は（Ａ）に対してダンパを反対側に固定した状態を示す斜視図、及び（Ｃ）は工具固定部の両側にダンパを固定した状態を示す斜視図である。
【符号の説明】
【００６１】
Ｔ  ドリル（切削工具）
１  アングル型ハンドドリル（手持型穿孔工具）
２  ストレート型ハンドドリル（手持型穿孔工具）
１０，６０  穿孔用補助具
１２，６２  工具固定部
１４  ガイドロッド
１６，６４，８６  当接プレート
１８  滑止め部材
２０  ダンパ
４０  速度調整ツマミ
６０  穿孔用補助具
６２  工具固定部
６４  当接プレート
【図１】
2008149432.tif 000003
【図２】
2008149432.tif 000004
【図３】
2008149432.tif 000005
【図４】
2008149432.tif 000006